【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
イベントに対する指令が記述されている指示データのうちの、情報からなる集合のうちの第１の集合に関係付けられている第１の指示データに基づいて、前記イベントに対応して、前記集合のうちの第２の集合の受信を制御する集合受信制御手段と、
前記情報を提供する情報提供装置への、前記集合受信制御手段から受信が指示された前記第２の集合の要求の送信を制御し、前記情報提供装置から提供された、要求した前記第２の集合に属する前記情報と、前記指示データのうちの、前記第２の集合に関係付けられている第２の指示データとの受信を制御する通信制御手段と
を含むことを特徴とする情報受信装置。
【請求項２】
前記集合受信制御手段は、前記第１の集合に含まれている前記情報が出力されている場合、前記第１の指示データに基づいて、前記イベントに対応して、前記第２の集合の受信を制御し、前記集合のうちの第３の集合に含まれている前記情報が出力されている場合、前記指示データのうちの、前記第３の集合に関係付けられている第３の指示データに基づいて、前記イベントに対応して、前記第２の集合の受信を制御する
ことを特徴とする請求項１に記載の情報受信装置。
【請求項３】
前記集合受信制御手段は、前記第１の集合に含まれている前記情報が出力されている場合、前記第１の指示データに基づいて、前記イベントに対応して、前記第２の集合の受信を制御し、前記第３の集合に含まれている前記情報が出力されている場合、前記第３の指示データに基づいて、前記イベントに対応して、前記集合のうちの第４の集合または前記第２の集合の受信を制御し、
前記通信制御手段は、前記集合受信制御手段から受信が指示された前記第４の集合または前記第２の集合の要求の送信を制御し、前記情報提供装置から提供された、要求した前記第４の集合または前記第２の集合に属する前記情報と、前記指示データのうちの、要求した前記第４の集合に関係付けられている第４の指示データまたは前記第２の指示データとの受信を制御する
ことを特徴とする請求項２に記載の情報受信装置。
【請求項４】
前記集合受信制御手段は、出力されている前記情報を含む前記集合に関係付けられている前記指示データ、および出力されている前記情報を含む前記集合の祖先の前記集合に関係付けられている前記指示データに基づいて、前記イベントに対応して、前記集合の受信を制御する
ことを特徴とする請求項１に記載の情報受信装置。
【請求項５】
受信された前記情報および前記指示データの記憶を制御する記憶制御手段をさらに含む
ことを特徴とする請求項１乃至請求項４のいずれかに記載の情報受信装置。
【請求項６】
前記情報は、画像または音声を除く情報であって、画像または音声として出力される
ことを特徴とする請求項１乃至請求項５のいずれかに記載の情報受信装置。
【請求項７】
前記情報は、電子メールである
ことを特徴とする請求項１乃至請求項５のいずれかに記載の情報受信装置。
【請求項８】
前記集合受信制御手段は、コマンドに対する指令が記述されているコマンドデータであって、前記第１の集合に関係付けられているコマンドデータに基づいて、前記コマンドに対応して、前記第２の集合の受信を制御する
ことを特徴とする請求項１乃至請求項５のいずれかに記載の情報受信装置。
【請求項９】
前記イベントは、センサからの情報である
ことを特徴とする請求項１乃至請求項５のいずれかに記載の情報受信装置。
【請求項１０】
前記イベントは、自分が装着されている機器の動作状態を検出するセンサからの情報である
ことを特徴とする請求項９に記載の情報受信装置。
【請求項１１】
前記通信制御手段は、無線LAN（Local Area Network）による通信可能な領域における、前記無線LANを介した、前記第２の集合に属する前記情報および前記第２の指示データの受信を制御する
ことを特徴とする請求項１乃至請求項５のいずれかに記載の情報受信装置。
【請求項１２】
前記情報は、ゲートまたはロックの開閉を通知する情報である
ことを特徴とする請求項１乃至請求項５のいずれかに記載の情報受信装置。
【請求項１３】
イベントに対する指令が記述されている指示データのうちの、情報からなる集合のうちの第１の集合に関係付けられている第１の指示データに基づいて、前記イベントに対応して、前記集合のうちの第２の集合の受信を制御する集合受信制御ステップと、
前記情報を提供する情報提供装置への、前記集合受信制御ステップにおいて受信が指示された前記第２の集合の要求の送信を制御し、前記情報提供装置から提供された、要求した前記第２の集合に属する前記情報と、前記指示データのうちの、前記第２の集合に関係付けられている第２の指示データとの受信を制御する通信制御ステップと
を含むことを特徴とする情報受信方法。
【請求項１４】
イベントに対する指令が記述されている指示データのうちの、情報からなる集合のうちの第１の集合に関係付けられている第１の指示データに基づいて、前記イベントに対応して、前記集合のうちの第２の集合の受信を制御する集合受信制御ステップと、
前記情報を提供する情報提供装置への、前記集合受信制御ステップにおいて受信が指示された前記第２の集合の要求の送信を制御し、前記情報提供装置から提供された、要求した前記第２の集合に属する前記情報と、前記指示データのうちの、前記第２の集合に関係付けられている第２の指示データとの受信を制御する通信制御ステップと
を含むことを特徴とする受信処理をコンピュータに実行させるプログラムが記録されている記録媒体。
【請求項１５】
イベントに対する指令が記述されている指示データのうちの、情報からなる集合のうちの第１の集合に関係付けられている第１の指示データに基づいて、前記イベントに対応して、前記集合のうちの第２の集合の受信を制御する集合受信制御ステップと、
前記情報を提供する情報提供装置への、前記集合受信制御ステップにおいて受信が指示された前記第２の集合の要求の送信を制御し、前記情報提供装置から提供された、要求した前記第２の集合に属する前記情報と、前記指示データのうちの、前記第２の集合に関係付けられている第２の指示データとの受信を制御する通信制御ステップと
を含む処理をコンピュータに実行させるプログラム。
【請求項１６】
情報の記憶を制御すると共に、前記情報からなる集合毎に関係付けられている、受信側におけるイベントに対する指令が記述されている指示データの記憶を制御する記憶制御手段と、
前記情報を受信する情報受信装置から、前記集合が要求された場合、前記情報受信装置への、要求された前記集合に属する前記情報、および要求された前記集合に関係付けられている前記指示データの送信を制御する送信制御手段と
を含むことを特徴とする情報提供装置。
【請求項１７】
前記記憶制御手段は、前記集合毎に関係付けられている、前記情報の出力の順序が記述されている順序データの記憶をさらに制御し、
前記送信制御手段は、前記情報受信装置から、前記集合が要求された場合、前記情報受信装置への、要求された前記集合に関係付けられている前記順序データの送信をさらに制御する
ことを特徴とする請求項１６に記載の情報提供装置。
【請求項１８】
情報の記憶を制御すると共に、前記情報からなる集合毎に関係付けられている、受信側におけるイベントに対する指令が記述されている指示データの記憶を制御する記憶制御ステップと、
前記情報を受信する情報受信装置から、前記集合が要求された場合、前記情報受信装置への、要求された前記集合に属する前記情報、および要求された前記集合に関係付けられている前記指示データの送信を制御する送信制御ステップと
を含むことを特徴とする情報提供方法。
【請求項１９】
情報の記憶を制御すると共に、前記情報からなる集合毎に関係付けられている、受信側におけるイベントに対する指令が記述されている指示データの記憶を制御する記憶制御ステップと、
前記情報を受信する情報受信装置から、前記集合が要求された場合、前記情報受信装置への、要求された前記集合に属する前記情報、および要求された前記集合に関係付けられている前記指示データの送信を制御する送信制御ステップと
を含むことを特徴とするコンピュータが読み取り可能なプログラムが記録されている記録媒体。
【請求項２０】
情報の記憶を制御すると共に、前記情報からなる集合毎に関係付けられている、受信側におけるイベントに対する指令が記述されている指示データの記憶を制御する記憶制御ステップと、
前記情報を受信する情報受信装置から、前記集合が要求された場合、前記情報受信装置への、要求された前記集合に属する前記情報、および要求された前記集合に関係付けられている前記指示データの送信を制御する送信制御ステップと
を含むことを特徴とするコンピュータが読み取り可能なプログラム。
【請求項２１】
集合に属する情報の出力または受信の指示が記述されているデータであって、
前記集合の中の１つである第１の集合に関係付けられ、
前記第１の集合に属する前記情報、または前記第１の集合の子孫の集合に属する前記情報が出力されている場合、前記情報の出力または受信を制御するコンピュータに読み込まれ、
発生するイベントに対して、前記集合の中の他の集合である第２の集合の出力および前記第２の集合の受信の少なくとも一方の処理を前記コンピュータに実行させる指示が記述されている
ことを特徴とするデータ。
【請求項２２】
情報を提供する情報提供装置と、前記情報を受信する情報受信装置からなる情報提供システムにおいて、
前記情報提供装置は、
前記情報の記憶を制御すると共に、前記情報からなる集合毎に関係付けられている、前記情報受信装置におけるイベントに対する指令が記述されている指示データの記憶を制御する記憶制御手段と、
前記情報受信装置から、前記集合が要求された場合、前記情報受信装置への、要求された前記集合に属する前記情報、および要求された前記集合に関係付けられている前記指示データの送信を制御する送信制御手段と
を含み、
前記情報受信装置は、
前記指示データの中の、出力されている前記情報を含む前記集合に関係付けられている前記指示データに基づいて、前記イベントに対応して、前記集合の受信を制御する集合受信制御手段と、
前記情報提供装置への、前記集合受信制御手段から受信が指示された前記集合の要求の送信を制御し、前記情報提供装置から提供された、要求した前記集合に属する前記情報、および要求した前記集合に関係付けられている前記指示データの受信を制御する通信制御手段と
を含むことを特徴とする情報提供システム。
【請求項２３】
情報の記憶を制御すると共に、前記情報からなる集合毎に関係付けられている、情報受信装置におけるイベントに対する指令が記述されている指示データの記憶を制御する記憶制御ステップと、
前記情報受信装置から、前記集合が要求された場合、前記情報受信装置への、要求された前記集合に属する前記情報、および要求された前記集合に関係付けられている前記指示データの送信を制御する送信制御ステップと、
前記指示データの中の、出力されている前記情報を含む前記集合に関係付けられている前記指示データに基づいて、前記イベントに対応して、前記集合の受信を制御する集合受信制御ステップと、
情報提供装置への、前記集合受信制御ステップにおいて受信が指示された前記集合の要求の送信を制御し、前記情報提供装置から提供された、要求した前記集合に属する前記情報、および要求した前記集合に関係付けられている前記指示データの受信を制御する通信制御ステップと
を含むことを特徴とする情報提供方法。
【手続補正２】
【補正対象書類名】明細書
【補正対象項目名】発明の名称
【補正方法】変更
【補正の内容】
【発明の名称】情報受信装置および方法、情報提供装置および方法、記録媒体、情報提供システム、プログラム、並びにデータ
【手続補正３】
【補正対象書類名】明細書
【補正対象項目名】０００１
【補正方法】変更
【補正の内容】
【０００１】
本発明は、情報受信装置および方法、情報提供装置および方法、記録媒体、情報提供システム、プログラム、並びにデータに関し、特に、利用者に提供する情報を取り扱う情報受信装置および方法、情報提供装置および方法、記録媒体、情報提供システム、プログラム、並びにデータに関する。
【手続補正４】
【補正対象書類名】明細書
【補正対象項目名】０１１２
【補正方法】変更
【補正の内容】
【０１１２】
この発明による情報受信装置は、イベントに対する指令が記述されている指示データのうちの、情報からなる集合のうちの第１の集合に関係付けられている第１の指示データに基づいて、イベントに対応して、集合のうちの第２の集合の受信を制御する集合受信制御手段と、情報を提供する情報提供装置への、集合受信制御手段から受信が指示された第２の集合の要求の送信を制御し、情報提供装置から提供された、要求した第２の集合に属する情報と、指示データのうちの、第２の集合に関係付けられている第２の指示データとの受信を制御する通信制御手段とを含むことを特徴とする。
【手続補正５】
【補正対象書類名】明細書
【補正対象項目名】０１１３
【補正方法】変更
【補正の内容】
【０１１３】
本発明の情報受信装置においては、イベントに対する指令が記述されている指示データのうちの、情報からなる集合のうちの第１の集合に関係付けられている第１の指示データに基づいて、イベントに対応して、集合のうちの第２の集合の受信が制御され、情報を提供する情報提供装置への、集合受信制御手段から受信が指示された第２の集合の要求の送信が制御され、情報提供装置から提供された、要求した第２の集合に属する情報と、指示データのうちの、第２の集合に関係付けられている第２の指示データとの受信が制御される。
【手続補正６】
【補正対象書類名】明細書
【補正対象項目名】０１１４
【補正方法】変更
【補正の内容】
【０１１４】
出力している情報が属する集合が替わると、読み込まれる指示データが替わり、同じイベントが入力されても、制御の内容が変更される。すなわち、出力している情報が属する集合とイベントにより決定される集合の受信が指示され、受信が指示された集合に属する情報および受信が指示された集合に関係付けられている指示データが受信される。その結果、指示データを適切に記述することにより、最小限の操作で、適切な時期に適切な順序で必要な情報を連続的に受信できるようになる。
【手続補正７】
【補正対象書類名】明細書
【補正対象項目名】０１２１
【補正方法】削除
【補正の内容】
【手続補正８】
【補正対象書類名】明細書
【補正対象項目名】０１２４
【補正方法】変更
【補正の内容】
【０１２４】
指示データは、少なくとも、イベントを識別する情報と、イベントに対応づけられた処理内容を特定する指令が記載されていればよい。指令は、例えば、処理の対象と、処理の内容とで記述される。
【手続補正９】
【補正対象書類名】明細書
【補正対象項目名】０１２５
【補正方法】変更
【補正の内容】
【０１２５】
集合に関係付けられるとは、集合から指示データを特定できることをいう。集合に関係付けられることには、集合に、空である指示データが関係付けられることを含む。例えば、集合を、フォルダに格納されている情報からなる集合としたとき、指示データが、フォルダに格納されることにより、指示データは、フォルダに格納されている情報の集合に関係付けられる。
【手続補正１０】
【補正対象書類名】明細書
【補正対象項目名】０１２９
【補正方法】変更
【補正の内容】
【０１２９】
この発明の好ましい一実施態様においては、集合受信制御手段は、第１の集合に含まれている情報が出力されている場合、第１の指示データに基づいて、イベントに対応して、第２の集合の受信を制御し、集合のうちの第３の集合に含まれている情報が出力されている場合、指示データのうちの、第３の集合に関係付けられている第３の指示データに基づいて、イベントに対応して、第２の集合の受信を制御する。
または、集合受信制御手段は、第１の集合に含まれている情報が出力されている場合、第１の指示データに基づいて、イベントに対応して、第２の集合の受信を制御し、第３の集合に含まれている情報が出力されている場合、第３の指示データに基づいて、イベントに対応して、集合のうちの第４の集合または第２の集合の受信を制御し、通信制御手段は、集合受信制御手段から受信が指示された第４の集合または第２の集合の要求の送信を制御し、情報提供装置から提供された、要求した第４の集合または第２の集合に属する情報と、指示データのうちの、要求した第４の集合に関係付けられている第４の指示データまたは第２の指示データとの受信を制御する。
さらに、または、集合受信制御手段は、出力されている情報を含む集合に関係付けられている指示データ、および出力されている情報を含む集合の祖先の集合に関係付けられている指示データに基づいて、イベントに対応して、集合の受信を制御する。このようにすることで、少ない指令が記述されている指示データで、より適切な集合の受信を指示することができるようになる。
【手続補正１１】
【補正対象書類名】明細書
【補正対象項目名】０１３０
【補正方法】変更
【補正の内容】
【０１３０】
さらに好ましい実施態様においては、受信された情報および指示データの記憶を制御する記憶制御手段がさらに設けられる。これによって、受信した情報および指示データを記憶することができるようになる。
情報は、画像または音声を除く情報であって、画像または音声として出力されるようにできる。
情報は、電子メールとするようにできる。
集合受信制御手段は、コマンドに対する指令が記述されているコマンドデータであって、第１の集合に関係付けられているコマンドデータに基づいて、コマンドに対応して、第２の集合の受信を制御するようにできる。
イベントは、センサからの情報とするようにできる。
イベントは、自分が装着されている機器の動作状態を検出するセンサからの情報とするようにできる。
通信制御手段は、無線LANによる通信可能な領域における、無線LANを介した、第２の集合に属する情報および第２の指示データの受信を制御するようにできる。
情報は、ゲートまたはロックの開閉を通知する情報とするようにできる。
【手続補正１２】
【補正対象書類名】明細書
【補正対象項目名】０１３１
【補正方法】変更
【補正の内容】
【０１３１】
この発明による情報受信方法は、イベントに対する指令が記述されている指示データのうちの、情報からなる集合のうちの第１の集合に関係付けられている第１の指示データに基づいて、イベントに対応して、集合のうちの第２の集合の受信を制御する集合受信制御ステップと、情報を提供する情報提供装置への、集合受信制御ステップにおいて受信が指示された第２の集合の要求の送信を制御し、情報提供装置から提供された、要求した第２の集合に属する情報と、指示データのうちの、第２の集合に関係付けられている第２の指示データとの受信を制御する通信制御ステップとを含むことを特徴とする。
【手続補正１３】
【補正対象書類名】明細書
【補正対象項目名】０１３２
【補正方法】変更
【補正の内容】
【０１３２】
この発明の第１の記録媒体のプログラムは、コンピュータに、イベントに対する指令が記述されている指示データのうちの、情報からなる集合のうちの第１の集合に関係付けられている第１の指示データに基づいて、イベントに対応して、集合のうちの第２の集合の受信を制御する集合受信制御ステップと、情報を提供する情報提供装置への、集合受信制御ステップにおいて受信が指示された第２の集合の要求の送信を制御し、情報提供装置から提供された、要求した第２の集合に属する情報と、指示データのうちの、第２の集合に関係付けられている第２の指示データとの受信を制御する通信制御ステップとを含む処理を実行させることを特徴とする。
【手続補正１４】
【補正対象書類名】明細書
【補正対象項目名】０１３３
【補正方法】変更
【補正の内容】
【０１３３】
この発明の第１のプログラムは、コンピュータに、イベントに対する指令が記述されている指示データのうちの、情報からなる集合のうちの第１の集合に関係付けられている第１の指示データに基づいて、イベントに対応して、集合のうちの第２の集合の受信を制御する集合受信制御ステップと、情報を提供する情報提供装置への、集合受信制御ステップにおいて受信が指示された第２の集合の要求の送信を制御し、情報提供装置から提供された、要求した第２の集合に属する情報と、指示データのうちの、第２の集合に関係付けられている第２の指示データとの受信を制御する通信制御ステップとを含む処理を実行させることを特徴とする。
【手続補正１５】
【補正対象書類名】明細書
【補正対象項目名】０１３４
【補正方法】変更
【補正の内容】
【０１３４】
この発明による情報受信方法、第１の記録媒体、および第１のプログラムにおいては、イベントに対する指令が記述されている指示データのうちの、情報からなる集合のうちの第１の集合に関係付けられている第１の指示データに基づいて、イベントに対応して、集合のうちの第２の集合の受信が制御され、情報を提供する情報提供装置への、受信が指示された第２の集合の要求の送信が制御され、情報提供装置から提供された、要求した第２の集合に属する情報と、指示データのうちの、第２の集合に関係付けられている第２の指示データとの受信が制御される。
【手続補正１６】
【補正対象書類名】明細書
【補正対象項目名】０１３５
【補正方法】変更
【補正の内容】
【０１３５】
この発明による情報提供装置は、情報の記憶を制御すると共に、情報からなる集合毎に関係付けられている、受信側におけるイベントに対する指令が記述されている指示データの記憶を制御する記憶制御手段と、情報を受信する情報受信装置から、集合が要求された場合、情報受信装置への、要求された集合に属する情報、および要求された集合に関係付けられている指示データの送信を制御する送信制御手段とを含むことを特徴とする。
【手続補正１７】
【補正対象書類名】明細書
【補正対象項目名】０１３６
【補正方法】変更
【補正の内容】
【０１３６】
本発明の情報提供装置においては、情報、および情報からなる集合毎に関係付けられている、受信側におけるイベントに対する指令が記述されている指示データが記憶され、情報を受信する情報受信装置から、集合が要求された場合、情報受信装置に、要求された集合に属する情報、および要求された集合に関係付けられている指示データが送信される。
【手続補正１８】
【補正対象書類名】明細書
【補正対象項目名】０１４２
【補正方法】変更
【補正の内容】
【０１４２】
この発明による情報提供方法は、情報の記憶を制御すると共に、情報からなる集合毎に関係付けられている、受信側におけるイベントに対する指令が記述されている指示データの記憶を制御する記憶制御ステップと、情報を受信する情報受信装置から、集合が要求された場合、情報受信装置への、要求された集合に属する情報、および要求された集合に関係付けられている指示データの送信を制御する送信制御ステップとを含むことを特徴とする。
【手続補正１９】
【補正対象書類名】明細書
【補正対象項目名】０１４３
【補正方法】変更
【補正の内容】
【０１４３】
この発明の第２の記録媒体のプログラムは、コンピュータに、情報の記憶を制御すると共に、情報からなる集合毎に関係付けられている、受信側におけるイベントに対する指令が記述されている指示データの記憶を制御する記憶制御ステップと、情報を受信する情報受信装置から、集合が要求された場合、情報受信装置への、要求された集合に属する情報、および要求された集合に関係付けられている指示データの送信を制御する送信制御ステップとを含む処理を実行させることを特徴とする。
【手続補正２０】
【補正対象書類名】明細書
【補正対象項目名】０１４４
【補正方法】変更
【補正の内容】
【０１４４】
この発明の第２のプログラムは、コンピュータに、情報の記憶を制御すると共に、情報からなる集合毎に関係付けられている、受信側におけるイベントに対する指令が記述されている指示データの記憶を制御する記憶制御ステップと、情報を受信する情報受信装置から、集合が要求された場合、情報受信装置への、要求された集合に属する情報、および要求された集合に関係付けられている指示データの送信を制御する送信制御ステップとを含む処理を実行させることを特徴とする。
【手続補正２１】
【補正対象書類名】明細書
【補正対象項目名】０１４５
【補正方法】変更
【補正の内容】
【０１４５】
この発明による情報提供方法、第２の記録媒体、および第２のプログラムにおいては、情報の記憶が制御されると共に、情報からなる集合毎に関係付けられている、受信側におけるイベントに対する指令が記述されている指示データの記憶が制御され、情報を受信する情報受信装置から、集合が要求された場合、情報受信装置への、要求された集合に属する情報、および要求された集合に関係付けられている指示データの送信が制御される。
【手続補正２２】
【補正対象書類名】明細書
【補正対象項目名】０１４６
【補正方法】変更
【補正の内容】
【０１４６】
この発明のデータは、集合の中の１つである第１の集合に関係付けられ、第１の集合に属する情報、または第１の集合の子孫の集合に属する情報が出力されている場合、情報の出力または受信を制御するコンピュータに読み込まれ、発生するイベントに対して、集合の中の他の集合である第２の集合の出力および第２の集合の受信の少なくとも一方の処理をコンピュータに実行させる指示が記述されていることを特徴とする。
【手続補正２３】
【補正対象書類名】明細書
【補正対象項目名】０１４７
【補正方法】変更
【補正の内容】
【０１４７】
情報の出力または受信を制御するコンピュータは、集合の中の１つである第１の集合に属する情報、または第１の集合の子孫の集合に属する情報が出力されている場合、この発明のデータを読み込み、所定のイベントが発生した場合、集合の中の他の集合である第２の集合の出力および第２の集合の受信の少なくとも一方の処理を実行する。
【手続補正２４】
【補正対象書類名】明細書
【補正対象項目名】０１４９
【補正方法】変更
【補正の内容】
【０１４９】
この発明の情報提供システムは、情報提供装置が、情報の記憶を制御すると共に、情報からなる集合毎に関係付けられている、情報受信装置におけるイベントに対する指令が記述されている指示データの記憶を制御する記憶制御手段と、情報受信装置から、集合が要求された場合、情報受信装置への、要求された集合に属する情報、および要求された集合に関係付けられている指示データの送信を制御する送信制御手段とを含み、情報受信装置が、指示データの中の、出力されている情報を含む集合に関係付けられている指示データに基づいて、イベントに対応して、集合の受信を制御する集合受信制御手段と、情報提供装置への、集合受信制御手段から受信が指示された集合の要求の送信を制御し、情報提供装置から提供された、要求した集合に属する情報、および要求した集合に関係付けられている指示データの受信を制御する通信制御手段とを含むことを特徴とする。
【手続補正２５】
【補正対象書類名】明細書
【補正対象項目名】０１５０
【補正方法】変更
【補正の内容】
【０１５０】
この発明による情報提供システムにおいては、情報が記憶されると共に、情報からなる集合毎に関係付けられている、情報受信装置におけるイベントに対する指令が記述されている指示データが記憶され、情報受信装置から、集合が要求された場合、情報受信装置に、要求された集合に属する情報、および要求された集合に関係付けられている指示データが送信され、指示データの中の、出力されている情報を含む集合に関係付けられている指示データに基づいて、イベントに対応して、集合の受信が制御され、情報提供装置に、受信が指示された集合の要求が送信され、情報提供装置から提供された、要求した集合に属する情報、および要求した集合に関係付けられている指示データが受信される。
【手続補正２６】
【補正対象書類名】明細書
【補正対象項目名】０１５２
【補正方法】変更
【補正の内容】
【０１５２】
この発明の第２の情報提供方法は、情報の記憶を制御すると共に、情報からなる集合毎に関係付けられている、情報受信装置におけるイベントに対する指令が記述されている指示データの記憶を制御する記憶制御ステップと、情報受信装置から、集合が要求された場合、情報受信装置への、要求された集合に属する情報、および要求された集合に関係付けられている指示データの送信を制御する送信制御ステップと、指示データの中の、出力されている情報を含む集合に関係付けられている指示データに基づいて、イベントに対応して、集合の受信を制御する集合受信制御ステップと、情報提供装置への、集合受信制御ステップにおいて受信が指示された集合の要求の送信を制御し、情報提供装置から提供された、要求した集合に属する情報、および要求した集合に関係付けられている指示データの受信を制御する通信制御ステップとを含むことを特徴とする。
【手続補正２７】
【補正対象書類名】明細書
【補正対象項目名】０１５３
【補正方法】変更
【補正の内容】
【０１５３】
この発明による第２の情報提供方法においては、情報が記憶されると共に、情報からなる集合毎に関係付けられている、情報受信装置におけるイベントに対する指令が記述されている指示データが記憶され、情報受信装置から、集合が要求された場合、情報受信装置に、要求された集合に属する情報、および要求された集合に関係付けられている指示データが送信され、指示データの中の、出力されている情報を含む集合に関係付けられている指示データに基づいて、イベントに対応して、集合の受信が制御され、情報提供装置に、受信が指示された集合の要求が送信され、情報提供装置から提供された、要求した集合に属する情報、および要求した集合に関係付けられている指示データが受信される。